(57)【要約】【課題】最大使用時の消費電力制限および節電を図りつつ、快適感が得られる空気調和機を提供する。【解決手段】冷房運転時および暖房運転時に省エネモードを選択可能であり、タイマ設定部で省エネモードを行う時刻を予め設定された場合、省エネモードより所定の時間前から省エネ移行モードによる運転を行い、省エネモードは、冷房運転時に省エネモードを選択すると、設定温度を上げる変更を行い、暖房運転時に省エネモードを選択すると、設定温度を下げる変更を行い、高負荷運転時に圧縮機の能力の最大値を所定の値に制限し、高負荷運転時から低負荷運転に切り替わる際、前記送風機の回転数を下げ、省エネ移行モードは、冷房運転時に省エネモードを選択すると、省エネモードにおける設定温度よりも低い温度に設定温度を上げる変更を行い、暖房運転時に省エネモードを選択すると、省エネモードにおける設定温度よりも高い温度に設定温度を下げる変更を行う。【選択図】  図９
2013088087.tif 000002
【特許請求の範囲】
【請求項１】
室内へ空調した空気を吹出す送風機と、圧縮機と、吹出空気温度を算出する吹出温度算出部と、予め設定された時刻に省エネモードによる運転を行うタイマ設定部と、を備え、
空気調和機の運転は、前記室内の温度を前記設定温度に近づける高負荷運転と、前記室内の温度を前記設定温度に維持する低負荷運転とから構成され、
冷房運転時および暖房運転時にそれぞれ前記省エネモードを選択可能であり、
前記タイマ設定部で前記省エネモードを行う時刻を予め設定された場合、前記省エネモードより所定の時間前から省エネ移行モードによる運転を行い、
前記省エネモードは、
前記冷房運転時に前記省エネモードを選択すると、設定温度を上げる変更を行い、
前記暖房運転時に前記省エネモードを選択すると、前記設定温度を下げる変更を行い、
前記高負荷運転時に前記圧縮機の能力の最大値を所定の値に制限し、
前記高負荷運転時から前記低負荷運転に切り替わる際、前記送風機の回転数を下げ、
前記省エネ移行モードは、
前記冷房運転時に前記省エネモードを選択すると、前記省エネモードにおける前記設定温度よりも低い温度に前記設定温度を上げる変更を行い、
前記暖房運転時に前記省エネモードを選択すると、前記省エネモードにおける前記設定温度よりも高い温度に前記設定温度を下げる変更を行う空気調和機。
【請求項２】
室内へ空調した空気を吹出す送風機と、圧縮機と、吹出空気温度を算出する吹出温度算出部と、前記吹出空気温度及び吹出風量により算出される体感温度を算出する体感温度算出部と、予め設定された時刻に省エネモードによる運転を行うタイマ設定部と、を備え、
空気調和機の運転は、室内の温度を設定温度に近づける高負荷運転と、前記室内の温度を設定温度に維持する低負荷運転とから構成され、
冷房運転時および暖房運転時にそれぞれ前記省エネモードを選択可能であり、
前記タイマ設定部で前記省エネモードを行う時刻を予め設定された場合、前記省エネモードより所定の時間前から省エネ移行モードによる運転を行い、
前記省エネモードは、
前記冷房運転時に前記省エネモードを選択すると、設定温度を上げる変更を行い、
前記暖房運転時に前記省エネモードを選択すると、前記設定温度を下げる変更を行い、
前記高負荷運転時に前記圧縮機の能力の最大値を所定の値に制限し、
前記冷房運転時に前記省エネモードを選択すると、前記高負荷運転時から前記低負荷運転に切り替わる際、前記送風機の回転数を上げ、
前記暖房運転時に前記省エネモードを選択すると、前記高負荷運転時から前記低負荷運転に切り替わる際、前記送風機の回転数を下げ、
前記省エネ移行モードは、
前記冷房運転時に前記省エネモードを選択すると、前記省エネモードにおける前記設定温度よりも低い温度に前記設定温度を上げる変更を行い、
前記暖房運転時に前記省エネモードを選択すると、前記省エネモードにおける前記設定温度よりも高い温度に前記設定温度を下げる変更を行う空気調和機。
【発明の詳細な説明】
【技術分野】
【０００１】
本発明は空気調和機の省エネ運転制御に関する。
【背景技術】
【０００２】
電力負荷の平準化を目的として、電流値の上限を下げることで、最大使用時の電流値を制限する空気調和機の運転制御が提案されている。また、最大使用時の電流値を制限するとともに、エネルギー消費量を抑える空気調和機の運転制御が提案されている。
【０００３】
特許文献１は、電力会社からの電力制御信号を受信することなく、ＧＰＳの位置情報からあらかじめ定められた地域別の運転制限条件を適用することで、電力抑制を行う空気調和機について開示している。特許文献２は、設定温度を変えることで運転能力を低下させるとともに、抑制手段により最大使用時の電流値を制限する空気調和機について開示している。特許文献３は、設定温度を変えることで運転能力を低下させるとともに、温冷感の指標に基づいて風量を変えることで快適性を維持する空気調和機について開示している。
【先行技術文献】
【特許文献】
【０００４】
【特許文献１】特開２００８−３０４０８７号公報
【特許文献２】特許第４０５６１４６号公報
【特許文献３】特開２００９−２７０７６４号公報
【発明の概要】
【発明が解決しようとする課題】
【０００５】
しかしながら、特許文献１は最大使用時の消費電力を抑制するものの、必ずしもエネルギー消費電力の抑制になるとは限らない。また、特許文献２や特許文献３は、運転開始時などの最大使用時から室温が設定温度に近づいた状態である安定運転時へ運転が切り替わる際などに、吹出空気温度が大きく変化し、快適感が損なわれる場合がある。
【０００６】
本発明の目的は、最大使用時の電流値の制限および節電を図りつつ、快適性を維持する空気調和機を提供することにある。
【課題を解決するための手段】
【０００７】
上記の目的を達成するために本発明は、室内へ空調した空気を吹出す送風機と、圧縮機と、吹出空気温度を算出する吹出温度算出部と、予め設定された時刻に省エネモードによる運転を行うタイマ設定部と、を備え、空気調和機の運転は、室内の温度を設定温度に近づける高負荷運転と、室内の温度を設定温度に維持する低負荷運転とから構成され、冷房運転時および暖房運転時にそれぞれ省エネモードを選択可能であり、タイマ設定部で省エネモードを行う時刻を予め設定された場合、省エネモードより所定の時間前から省エネ移行モードによる運転を行い、省エネモードは、冷房運転時に省エネモードを選択すると、設定温度を上げる変更を行い、暖房運転時に省エネモードを選択すると、設定温度を下げる変更を行い、高負荷運転時に圧縮機の能力の最大値を所定の値に制限し、高負荷運転時から低負荷運転に切り替わる際、前記送風機の回転数を下げ、省エネ移行モードは、冷房運転時に省エネモードを選択すると、省エネモードにおける設定温度よりも低い温度に設定温度を上げる変更を行い、暖房運転時に省エネモードを選択すると、省エネモードにおける設定温度よりも高い温度に設定温度を下げる変更を行う。
【発明の効果】
【０００８】
本発明によれば、最大使用時の電流値の制限および節電を図りつつ、快適性を維持する空気調和機を提供することができる。
【図面の簡単な説明】
【０００９】
【図１】空気調和機の構成図。
【図２】空気調和機室内機の断面図。
【図３】室内機の正面図。
【図４】室内機の制御部ブロック図。
【図５】従来の空気調和機における冷房運転時の消費電力の時間変化。
【図６】あらかじめ定められた２つの異なる削減率の制限モードの設定テーブル。
【図７】空気調和機における冷房運転時の消費電力の時間変化。
【図８】空気調和機における冷房運転時の室内温度の時間変化。
【図９】空気調和機における冷房運転時の吹出空気温度の時間変化。
【図１０】空気調和機における冷房運転時の圧縮機の回転数の時間変化。
【図１１】空気調和機における冷房運転時の吹出空気温度の時間変化。
【図１２】空気調和機における冷房運転時の室内送風機の回転数の時間変化。
【図１３】活動内容と活動量の関係を示す図。
【図１４】温度シフト値の例。
【図１５】風量シフト値の例。
【図１６】時刻・タイマ設定部６３に記憶される設定テーブル。
【発明を実施するための形態】
【００１０】
以下、本発明に係る空気調和機について、壁掛型の空気調和機を例にして説明する。まず、空気調和機の全体構成について図１〜図３を用いて説明する。図１は空気調和機の構成図である。図２は空気調和機室内機の断面図である。図３は室内機の正面図である。
【００１１】
図１に示す空気調和機１は、室内機２と室外機３とを接続配管４で接続して構成される。室内機２は、別体のリモートコントローラ（以下「リモコン」という。）５からの赤外線の操作信号を受信する室内送受信部１６を備える。
【００１２】
図２に示すように、室内機２は、筐体ベース６の中央部に熱交換器７を備える。熱交換器７の下流には熱交換器７の幅と略等しい長さの軸流ファン方式の室内送風機８を配置する。また、熱交換器７の下方には露受皿９を配置する。熱交換器７及び室内送風機８等は、化粧枠１０で覆われるとともに、化粧枠１０の前面にはフロントパネル１１が取り付けられる。
【００１３】
室内機２の上面には、室内空気を吸込む空気吸込口１２を備える。室内機２の下面には、温度が調整された空気を吹出す空気吹出口１３を備える。室内送風機８により、空気吸込口１２から吸込まれた室内空気は、熱交換器７及び室内送風機８を通って室内送風機８の長さに略等しい幅の吹出風路８ａに流れ込む。その後、吹出風路８ａの空気は、吹出風路８ａに位置する左右風向板１４により左右方向が偏向され、空気吹出口１３に位置する上下風向板１５により上下方向が偏向されて、空気吹出口１３から室内に吹出される。図３に示すように上下風向板１５の奥には、焦電型赤外線センサ１７、サーモパイルを使用した輻射センサ１８、及びマイクロフォン等を使用した音センサ１９を搭載する。
【００１４】
次に、本発明の空気調和機の制御の概要について、図４を用いて説明する。図４は室内機の制御部ブロック図である。図４において、空気調和機１は内部に制御部２０を備え、各種センサからの情報やリモコン５からの指示に応じて、室内機２及び室外機３を制御する。室内９００、室外９０１からの情報は、室温センサ２５、湿度センサ２６、輻射センサ１８、リモコン周囲温度センサ２７、リモコン位置センサ２８、焦電型赤外線センサ１７、音センサ１９、全電流センサ６０、外温センサ６１等により制御部２０内部のマイコン（図示せず）に取込まれる。これらのマイコンに取込まれた情報に基づいて、空気調和機１が制御される。焦電型赤外線センサ１７及び音センサ１９の情報から、活動量判定部３５は、在室者の活動量を多段階に区分して、温度シフト値設定部３６ａ、風量シフト値設定部３６ｂに伝える。温度シフト値設定部３６ａは、活動量判定部３５からの活動量情報の他、上述の各種センサや制御部２０内部に備えられたカレンダー情報２９からの情報に基づいて温度シフト値を演算し、目標室温設定部３７に伝える。目標室温設定部３７は、温度シフト値設定部３６からの温度シフト値情報と室温設定部３８からの設定室温情報に基づいて目標室温を演算し、空調能力制御部４５に伝える。風量シフト値設定部３６ｂは、活動量判定部３５からの活動量情報の他、上述の各種センサや制御部２０内部に備えられたカレンダー情報２９からの情報に基づいて風量シフト値を演算し、直接空調能力制御部４５に伝える。全電流センサ６０及び外温センサ６１の情報から、電力シフト設定部６２は、あらかじめ定められている圧縮機の上限回転数および電流値の上限電流を制限モードに応じて一定割合で上限値を下げて設定し、室外負荷に応じて電力制限運転時における室外回転数シフト値を演算し、直接空調能力制御部４５に伝える。空調能力制御部４５は、目標室温設定部３７からの目標室温や室温センサ２５からの吸込空気温度情報、風量シフト設定部や電力シフト設定部等から、圧縮機回転数設定部４６、室内送風機回転数設定部４７、室外送風機回転数設定部４８で圧縮機回転数、室内送風機回転数、室外送風機回転数を設定し、圧縮機、室内送風機８、室外送風機５６を制御する。
【００１５】
まず、運転開始時などの空調負荷が大きい領域で電力制限を行うピークシフト運転について具体例を挙げ説明する。図５に横軸を経過時間、縦軸を消費電力とした、従来の空気調和機における冷房運転時の消費電力の時間変化の一例を示す。グラフより運転開始時から一定期間の空調負荷が大きい領域では、目標とする室温と実際の室温の差が大きいため、消費電力が大きい。この運転開始時から一定期間での消費電力を削減することで電力使用ピーク時の消費電力を大きく削減できる。
【００１６】
本実施例では、全電流センサ６０により検出される電流値と、圧縮機の回転数の上限を制限することで消費電力を削減する。図６はあらかじめ定められた２つの異なる削減率の制限モードの設定テーブルを示す。これらの制限モードはリモコンの特定のボタンに割り当てられ、ユーザは好みのモードを選択することができる。
【００１７】
ここで制限モードにおける具体的な制御について説明する。例えば図６に示すように最大電力削減率１５％の制限Ａモードでは、圧縮機の上限回転数を通常の回転数の８５％にする。加えて、全電流センサ６０により検出される電流値の上限電流を通常の電流上限の８５％にする。ここで、圧縮機の上限回転数および電流値の上限電流はあらかじめ内外風量や外気温度などにより変化する空気調和機の負荷に応じて設定されている。制限された圧縮機の上限回転数で圧縮機が動作している場合に、電流値が上限電流を超えてしまう場合には、優先して電流値が制限され上限電流値になるように圧縮機の回転数が制御される。このように、空気調和機の負荷に応じて設定されている圧縮機あるいは全電流値の上限を一定割合で制限することで少なくとも運転開始時などの空調負荷の高い領域で消費電力の多い際に確実に消費電力を削減できる。
【００１８】
次に、図７に通常の冷房運転１００、冷房運転時に設定温度を上昇させた省エネ冷房運転１０１、冷房運転時に設定温度を上昇させ、且つ、最大消費電力を制限した省エネピークカット冷房運転１０２の経過時間に対する消費電力の変化を示す。図８に通常の冷房運転１００、省エネ冷房運転１０１、省エネピークカット冷房運転１０２の経過時間に対する室内温度の変化を示す。図９に通常の冷房運転１００、省エネ冷房運転１０１、省エネピークカット冷房運転１０２の経過時間に対する吹出空気温度の変化を示す。図１０に通常の冷房運転１００、省エネ冷房運転１０１、省エネピークカット冷房運転１０２の経過時間に対する圧縮機の回転数の変化を示す。
【００１９】
通常の冷房運転１００、及び、省エネ冷房運転１０１は、最大消費電力を制限していないため、運転開始直後に最大消費電力で運転している。最大消費電力で運転する分、図９に示すように室内吹出口１３から吹出す空気の温度は低くなる。そして、省エネ冷房運転１０１は、通常の冷房運転１００に比べて、早く設定温度１０４付近に到達する。そのため、省エネ冷房運転１０１は最大消費電力で運転する時間が、通常の冷房運転１００に比べて短い。そして、通常の冷房運転１００、及び、省エネ冷房運転１０１は、ともに設定温度に到達した後は安定運転へとシフトしていく。
【００２０】
ここで、省エネ冷房運転１０１の安定運転時の消費電力は、通常の冷房運転１００の安定運転時の消費電力よりも低い値となっており、室内吹出口１３から吹出す空気の温度も高い値となる。省エネ冷房運転１０１のほうが設定温度を維持するのに必要な電力が少ないからである。そのため、省エネ冷房運転１０１は、通常の冷房運転１００に比べて、最大消費電力での運転時の吹出空気温度と安定運転時の吹出空気温度との温度差が大きく、快適性が損なわれる運転となる可能性がある。
【００２１】
一方、省エネピークカット冷房運転１０２は、最大消費電力を制限しているため、通常の冷房運転１００及び省エネ冷房運転１０１に比べて、運転開始直後における消費電力が抑えられている。最大消費電力が抑えられている分、室内吹出口１３から吹出す空気の温度は低温になりづらい。その分、省エネピークカット冷房運転１０２は、省エネ冷房運転１０１に比べて、消費電力が高い値で運転する時間が長くなる。
【００２２】
ここで、省エネ冷房運転１０１及び省エネピークカット冷房運転１０２の設定温度が同じ場合、省エネピークカット冷房運転１０２の安定運転時の消費電力は、省エネ冷房運転１０１の安定運転時の消費電力と近い値となる。つまり、省エネピークカット冷房運転１０２は、省エネ冷房運転１０１に比べて、最大消費電力での運転時の吹出空気温度と安定運転時の吹出空気温度との温度差が小さく、省エネ運転による吹出空気温度の変化の拡大を抑えることができるため、快適性を維持することができる。
【００２３】
ここでは、室内吹出口１３から吹出す空気の風量が一定について説明したが、吹出空気の風量を制御することで、さらに吹出空気の温度の変化を抑制し、ユーザの不快感を低減することができる。図１１に省エネピークカット冷房運転１０２、及び、高負荷運転時の室内送風機８の回転数が低負荷運転時の室内送風機８の回転数より高めた省エネピークカット冷房運転１０３の経過時間に対する吹出空気温度の変化を示す。図１２に省エネピークカット冷房運転１０２、及び、高負荷運転時の室内送風機８の回転数が低負荷運転時の室内送風機８の回転数より高めた省エネピークカット冷房運転１０３の経過時間に対する室内送風機の回転数の変化を示す。運転開始初期の高負荷運転時に、図１２に示すように室内送風機８の回転数が低負荷運転時の室内送風機８の回転数より高めたことにより、より多くの室内の空気が空気調和機の熱交換器７を通過するため、単位体積当たりの室内の空気の冷却量は減少する。つまり、図１１に示すとおり、高負荷運転時における吹出空気温度の低下を弱めることができ、高負荷時における吹出空気温度と低負荷時における吹出空気温度との温度差をより狭めることができる。
【００２４】
また、省エネピークカット運転の安定運転時、体感温度を維持するため、所定の風量シフト値を風量に加える。例えば冷房運転時の温度シフト値が＋１℃のとき、風速を＋１ｍ／ｓ程度増速することで、おおむね体感温度が同等となる。暖房についても温度シフト値が−１℃で、風速を−１ｍ／ｓ程度減速することで、おおむね体感温度が同等となる。
【００２５】
このとき、最大消費電力での運転時は、安定運転時に比べ吹出空気温度が低いので、風量シフトを行わない。このことで、最大消費電力での運転時の吹出空気温度と安定運転時の吹出空気温度との温度差が小さく、省エネ運転による吹出空気温度の変化の拡大を抑えることができるため、快適性を維持することができる。
【００２６】
従って、室内へ空調した空気を吹出す室内送風機８と圧縮機を制御する空気調和機であって、省エネモードを含む複数の運転モードから所望の運転モードを選択する選択手段と、吹出空気温度を算出する吹出温度算出部と、を備え、省エネモードは、冷房運転時は設定温度を上げ、暖房運転時は設定温度を下げ、圧縮機の能力の最大値を所定の値に制限し、吹出温度算出部により算出される吹出空気温度が設定温度に近づくよう室内送風機８を制御する風量制御を行うことで、最大使用時の消費電力制限および節電を図りつつ、吹出空気温度の変化を抑制し、ユーザの不快感を低減することができる。
【００２７】
なお、吹出空気温度は吹出温度算出部により室内送風機８の回転数等から算出される。また、吹出温度算出部は空気吹出口１３付近の空気を直接計測してもよい。
【００２８】
なお、風量制御は、冷房運転時は室内送風機８を制御することにより吹出空気温度を設定温度よりも所定の温度低い値になるようにし、暖房運転時は室内送風機８を制御することにより吹出空気温度を設定温度よりも所定の温度高い値になるようにしてもよい。
【００２９】
なお、省エネモードを選択した際に、設定温度を予め定めた所定の温度に変えるようにしてもよい。但し、冷房運転時に、省エネモードを選択する前の設定温度がすでに予め定めた所定の温度よりも高い場合は、設定温度を変えないようにしてもよい。一方、暖房運転時に、同様に省エネモードを選択する前の設定温度がすでに予め定めた所定の温度よりも低い場合は、設定温度を変えないようにしてもよい。
【００３０】
また、吹出空気温度及び吹出風量により定まる体感温度を求める体感温度算出部を備え、省エネモードは、冷房運転時は設定温度を上げ、暖房運転時は設定温度を下げ、圧縮機の能力の最大値を所定の値に制限し、体感温度算出部により求めた体感温度が所定の値に近づくよう室内送風機８を制御する風量制御を行うことで、最大使用時の消費電力制限および節電を図りつつ、体感温度の変化を抑制し、ユーザの不快感を低減することができる。
【００３１】
また、本実施例の空気調和機は、電力制限値の設定値に応じて、冷房運転時の温度シフト値は正の値としその下限を定め、暖房運転時の温度シフト値は負の値としその上限を定める。このとき体感温度を維持するため、所定の風量シフト値を風量に加える。例えば冷房運転時の温度シフト値が＋１℃のとき、風速を＋１ｍ／ｓ程度増速することで、おおむね体感温度が同等となる。暖房についても温度シフト値が−１℃で、風速を−１ｍ／ｓ程度減速することで、おおむね体感温度が同等となる。
【００３２】
このように、冷房運転時の温度シフト値に下限を設けることにより、確実に省エネ運転となり、風量シフト値を正の値として風量に加えることで体感温度が下がり快適性が維持される。例えば図６で冷房運転時最大１５％制限のとき温度シフト値の下限は＋１℃となり、このとき図１５に示すように風速が＋１ｍ／ｓ増速するように室内風量が制御される。また、暖房運転時の温度シフト値に上限を設けることにより、確実に省エネ運転となり、風量シフト値を負の値として風量に加えることで体感温度が上昇し、快適性が維持される。例えば図１４で暖房運転時最大１５％制限のとき温度シフト値の下限は−１℃となり、このとき図１５に示すように風速が−１ｍ／ｓ減速するように室内風量が制御される。
【００３３】
従って、吹出空気温度を算出する吹出温度算出部と、吹出温度及び吹出風量により定まる体感温度を算出又は選択する体感温度算出部と、を備え、省エネモードが選択された時に、所定温度にシフトする際に体感温度を維持する吹出風量を吹出すことにより、ユーザの不快感を低減することができる。
【００３４】
さらに、空気調和機は室内の温度（及び湿度）および風量を制御することにより快適性を保持する。人の温熱感覚は温度、湿度、気流、輻射、着衣量及び活動量の影響を受ける。室内に居る人の行動が変わると、湿度、気流、輻射、着衣量等の条件が同じでも、その人の温熱感覚は変わる。従って、快適性を維持するためには、温度（及び湿度）・風量等をその人の行動に応じて変える必要がある。
【００３５】
空気調和機が備える人検知機能から在室者の活動量の情報を得ることができる。この在室者の活動量の情報に応じて室温を変更することにより、在室者の快適性を維持することができる。図１３は活動内容と活動量の関係である。人の活動量を表す単位としてＭＥＴを用いており、活動内容とその活動内容に対応するＭＥＴ値を示している。図１３の右欄に、活動量の区分例を示す。ＭＥＴの大小により５つの区分に細分化している。また、図１４は活動量の区分に応じた温度シフト値の例である。また、図１５は消費電力の制限値に応じた風量シフト値の例である。
【００３６】
本実施例では、在室者の動き量を検出する赤外線センサと、室内の音を検出する音センサの人検知機能、室内の床面温度及び壁面温度を検出する輻射温度センサ、リモコンの位置を検出する機能、カレンダー機能を用いて温度シフト値および風量シフト値を設定し、制御する例について述べる。
【００３７】
人の活動量は、在室者の動き量を検出する赤外線センサと、室内の音を検出する音センサにより把握する。例えば、同じ時刻に得られた焦電型赤外線センサによる在室者の動きの活発さの検出区分と音センサにより捉えられた音源の周波数による判定の結果を組み合わせて、在室者の活動量を５つに細分化する。活動量に応じた温度シフト値は例えば図１４に示すように、冷房運転であれば、活動量最大で＋０.３℃、最小で＋１.２℃であり、活動量が大きいほどシフト値を小さく設定する。
【００３８】
また、自動的に空気調和機の吹出風向をリモコン位置に向けるように制御する場合に、ゾーンシフト値を温度シフト値に加える。空調された快適な風を受けているときには、冷房運転時は吸込空気温度を上げ、暖房運転時は吸込空気温度を下げて、省エネ運転する。例えば図１４の冷房運転で、シフト値を＋０.６とする。
【００３９】
また、室内の壁、床等が日光で暖められ、又、他の暖冷房機等により温度が室温と乖離すると、在室者の温熱感覚が変わってしまう。そこで輻射センサを用いて、室内の床面温度及び壁面温度を検出し、温熱感覚に影響する輻射温度を空気調和機の制御に取入れることにより、輻射温度−室内温度の違いに応じて輻射シフト値を変えることで、よりきめ細かな制御により省エネ運転をはかることができる。例えば、「輻射温度−（マイナス）室内温度」が小さいほど大きな輻射シフト値とし、輻射シフト値を温度シフト値に加える。あるいは、輻射温度−室内温度の値により「温度差正（図１４冷房運転ではシフト値０）」、「温度差小（図１４冷房運転ではシフト＋０.３）」、「温度差負（図１４冷房運転ではシフト値＋０.６）」に分け、輻射温度−室内温度が大きいほど小さい値を輻射シフト値とし、この輻射シフト値を温度シフト値に加える。これにより、暖房時は輻射温度が高いほど吸込空気温度が設定温度より低めに調整され、冷房時は輻射温度が低いほど吸込空気温度が設定温度より高めに調整される。
【００４０】
空気調和機本体と双方向に通信可能なリモコンと、被空調空間内の在室者の活動量を判定するための複数のセンサおよび活動量判定部と、を備え、活動量判定部で判定された在室者の活動判定量に応じて活動シフト値を定め、リモコンの位置に応じて位置シフト値を定め、活動シフト値及び位置シフト値より、設定温度の補正値を算出し、全電流の制限値に応じて設定風量の補正値を算出し、風量設定値及び吸込空気温度の目標温度を補正後の設定値として制御することにより、温度（及び湿度）・風量等をその人の行動に応じて変え、より快適性を高めることができる。
【００４１】
また、冷房モードでの運転の際に温度シフトに下限値を設け、活動量より算出される温度シフトが下限値を下回る場合は定められている下限値とするとともに、温度シフト下限値に応じて室内送風機の回転数を大きく制御する。一方、暖房モードでの運転の際に温度シフトに下限値を設け、活動量より算出される温度シフトが下限値を下回る場合は定められている下限値とするとともに、温度シフト下限値に応じて室内送風機の回転数を小さく制御する。
【００４２】
一方、人の温熱感覚には、気流も大きな影響を及ぼす。同じ温度でも、気流が強い場合は弱い場合よりも温熱感覚が増大され、気流を涼しく感じるときはより涼しく感じ、気流を暖かく感じるときにはより暖かく感じる。本実施例の空気調和機は、空気調和機本体と双方向に通信可能なリモコンに、位置を検出する機能をもたせ、空気調和機とリモコンとの距離を認識することができる。この機能を利用して、使用者の居るリモコン近くの気流の状態を推定する。リモコンの位置が空気調和機から遠い場合は、空気調和機からの気流は弱く、リモコンの近くに居る使用者も空気調和機からは弱い気流を感じる。反対に、リモコンの位置が空気調和機から近い場合は、空気調和機からの気流は強く、リモコンの近くに居る使用者も空気調和機からは強い気流を感じ、空気調和機からの冷温風を強く感じる。例えば、図１４の冷房運転で、リモコン「近」ならば＋０.３℃、「中」ならば＋０.２℃、「遠」ならば０℃とする。つまり、冷房の場合は室温を若干上げても快適性は許容範囲内に留まり、また、暖房の場合は室温を若干下げても快適性の許容範囲内に留まるので、冷房、暖房ともに、空気調和機は省エネ運転になる。
【００４３】
また、本実施例の空気調和機は、リモコン周囲温度から設定温度を減じた値に応じたリモコン温度シフト値を温度シフト値に加える。暖房運転時はリモコン周囲温度が高いほど吸込空気温度が設定温度より低めに調整され、冷房運転時はリモコン周囲温度が低いほど吸込空気温度が設定温度より高めに調整される。例えば図１４の冷房運転で、「リモコン周囲温度−（マイナス）設定温度」が３℃以上なら補正シフト値０、−３〜３℃で＋０.６℃、−３℃未満で＋０.６℃となる。
【００４４】
冷房モード、暖房モードでの運転の際に設定温度をあらかじめ定められた基準設定温度に設定するとともに、活動量判定部で判定された在室者の活動判定量に応じた活動シフト値及び位置シフト値により、リモコンの位置が空気調和機から遠いほど、且つ、在室者の前記活動判定量が大きいほど、室内送風機の回転数を大きくして、リモコンに向けて風向を制御する。一方、暖房モードでの運転の際に活動シフト値及び位置シフト値により、リモコンの位置が空気調和機から近いほど、且つ、在室者の活動判定量が大きいほど、室内送風機の回転数を小さく制御する。従って、リモコンの近くにいる在室者の快適性に配慮しつつ、きめ細かく空気調和機を制御することで省エネ運転することができる。
【００４５】
また、本実施例の空気調和機は、冷房モードでの運転の際に前記活動シフト値及び前記位置シフト値により在室者の前記活動判定量があらかじめ定められた下限値より小さい場合に、冷房運転を停止し、送風運転に運転モードを切換えることができる。これにより、電力の最大使用時に消費電力制限を行いつつ、在室者の動きの量を組み合わせて在室者の活動量を精度よく判定し、適正に空気調和機を制御できる。
【００４６】
また、本実施例の空気調和機は、外気負荷が小さい場合に室外ファン回転数を定められた回転数増速するように制御することができる。これにより、電力の最大使用時に消費電力制限を行いつつ、在室者の動きの量を組み合わせて在室者の活動量を精度よく判定し、適正に空気調和機を制御できる。従って、快適性を考慮しつつ、消費電力制限および節電運転をすることができる。
【００４７】
また、本実施例の空気調和機は、カレンダー機能に基づいて、厳寒期（例えば２月）に近いほど着衣の量が多く、盛夏（例えば８月）に近いほど着衣の量が少ないと判断する。このとき、着衣量が多いほど小さい値の補正シフト値を温度シフト値に加える。例えば図１４の冷房運転で、８月はシフト値を＋０.２℃、暖房運転で２月はシフト値を−０.２℃とする。従って、快適性に配慮しながら、省エネ運転をはかることができる。
【００４８】
また、本実施例の空気調和機は、冷房運転時の温度シフト値は正の値としその上限を定め、暖房運転時の温度シフト値は負の値としその下限を定める。冷房運転時の温度シフト値に上限を設けることにより、省エネ運転を追及するあまり、設定温度から極端に室温が上がり過ぎて快適な空調から逸脱することを防ぐ。例えば図１４で冷房運転時の温度シフト上限値を＋３℃としている。また、暖房運転時も温度シフト値に下限を設けることにより、設定温度から極端に室温が下がり過ぎて快適な空調から逸脱することを防ぐ。例えば図１４で暖房運転時の温度シフト上限値を−５℃としている。これらは、各々の補正シフト値を温度シフト値に加えると、温度シフト値が大きくなりすぎて、設定温度から乖離する可能性があるためである。このように、快適性に配慮しながら、冷房運転時は吸込空気温度を高めに調整し、暖房運転時は吸込空気温度を低めに調節することにより、省エネ運転を図る。
【００４９】
なお、空気調和機の暖房能力及び冷房能力は、空気調和機の吸込空気温度と設定温度に基づいて制御される。しかしながら、一般に、室内の高所に据付けられた空気調和機の吸込空気温度は、使用者が位置する室内の床から顔の高さまでの居住空間の温度より高くなる。従って、この温度差を補正するため、設定温度に所定値（温度シフト値）を上乗せした上乗せ設定温度を目標温度にして、吸込空気温度が、上乗せ設定温度（目標温度）に近づくように空気調和機を制御する。所定値としては、空気調和機の構造や運転モード（暖房／冷房／除湿）により相違するが、−１〜５℃程度である。
【００５０】
さらに、図１６に示すように、予め設定された時刻に前記省エネモードによる運転を行うタイマ設定部を有することにより、例えば予め電力が不足すると予測される時刻にあわせて、空気調和機の運転を制限することができる。
【００５１】
図１６（ａ）は夏季における省エネ運転の一例である。例えば、電力が不足することが予め予測されている８時から２２時の間で省エネ運転を行っているが、１４時から２０時の間における電力の不足量にあわせて制御Ｂの省エネ運転を行い、８時から１４時及び２０時から２２時の間における電力の不足量にあわせて制御Ａの省エネ運転を行うよう予め設定することができる。
【００５２】
図１６（ｂ）は冬季における省エネ運転の一例である。例えば、電力が不足することが予め予測されている８時から１４時、及び、１６時から２０時の間で省エネ運転を行うよう予め設定することができる。つまり、複数の時間帯に省エネ運転を行うことを予め設定することもできる。
【００５３】
さらに、予め省エネ運転を行う時刻になる前に、省エネ運転へ移行するための省エネ移行運転を行い、徐々に設定温度を変化させることもできる。通常の運転から省エネ運転に移行して設定温度を変えた場合、風量を制御したとしても、空気調和機から吹出空気の温度の変化を抑えることができない場合も有り得る。そのため、通常の運転と省エネ運転との間に、通常の運転における設定温度と省エネ運転における設定温度との間の温度を設定温度とする省エネ移行運転を行うことにより、急激に空気調和機からの吹出空気の温度が変化することを抑えることができる。ここでは、吹出空気の温度の変化を抑えることについて説明したが、省エネ移行運転を体感温度の変化を抑えることにも有効である。
【００５４】
室内へ空調した空気を吹出す送風機と、圧縮機と、吹出空気温度を算出する吹出温度算出部と、予め設定された時刻に前記省エネモードによる運転を行うタイマ設定部と、を備え、空気調和機の運転は、前記室内の温度を前記設定温度に近づける高負荷運転と、前記室内の温度を前記設定温度に維持する低負荷運転とから構成され、冷房運転時および暖房運転時にそれぞれ省エネモードを選択可能であり、タイマ設定部で省エネモードを行う時刻を予め設定された場合、省エネモードより所定の時間前から省エネ移行モードによる運転を行い、前記省エネモードは、前記冷房運転時に前記省エネモードを選択すると、設定温度を上げる変更を行い、前記暖房運転時に前記省エネモードを選択すると、前記設定温度を下げる変更を行い、前記高負荷運転時に前記圧縮機の能力の最大値を所定の値に制限し、前記高負荷運転時から前記低負荷運転に切り替わる際、前記送風機の回転数を下げ、前記省エネ移行モードは、前記冷房運転時に前記省エネモードを選択すると、前記省エネモードにおける前記設定温度よりも低い温度に前記設定温度を上げる変更を行い、前記暖房運転時に前記省エネモードを選択すると、前記省エネモードにおける前記設定温度よりも高い温度に前記設定温度を下げる変更を行う。通常の運転と省エネ運転との間に、通常の運転における設定温度と省エネ運転における設定温度との間の温度を設定温度とする省エネ移行運転を行うことにより、急激に空気調和機からの吹出空気の温度が変化することを抑えることができる。
【００５５】
室内へ空調した空気を吹出す送風機と、圧縮機と、吹出空気温度を算出する吹出温度算出部と、前記吹出空気温度及び吹出風量により算出される体感温度を算出する体感温度算出部と、予め設定された時刻に前記省エネモードによる運転を行うタイマ設定部と、を備え、空気調和機の運転は、室内の温度を設定温度に近づける高負荷運転と、前記室内の温度を設定温度に維持する低負荷運転とから構成され、冷房運転時および暖房運転時にそれぞれ省エネモードを選択可能であり、タイマ設定部で省エネモードを行う時刻を予め設定された場合、省エネモードより所定の時間前から省エネ移行モードによる運転を行い、前記省エネモードは、前記冷房運転時に前記省エネモードを選択すると、設定温度を上げる変更を行い、前記暖房運転時に前記省エネモードを選択すると、前記設定温度を下げる変更を行い、前記高負荷運転時に前記圧縮機の能力の最大値を所定の値に制限し、前記冷房運転時に前記省エネモードを選択すると、前記高負荷運転時から前記低負荷運転に切り替わる際、前記送風機の回転数を上げ、前記暖房運転時に前記省エネモードを選択すると、前記高負荷運転時から前記低負荷運転に切り替わる際、前記送風機の回転数を下げ、前記省エネ移行モードは、前記冷房運転時に前記省エネモードを選択すると、前記省エネモードにおける前記設定温度よりも低い温度に前記設定温度を上げる変更を行い、前記暖房運転時に前記省エネモードを選択すると、前記省エネモードにおける前記設定温度よりも高い温度に前記設定温度を下げる変更を行う。通常の運転と省エネ運転との間に、通常の運転における設定温度と省エネ運転における設定温度との間の温度を設定温度とする省エネ移行運転を行うことにより、急激に体感温度が変化することを抑えることができる。
【符号の説明】
【００５６】
１  空気調和機
２  室内機
３  室外機
４  接続配管
５  リモコン
６  筐体ベース
７  熱交換器
８  室内送風機
８ａ  吹出風路
９  露受皿
１０  化粧枠
１１  フロントパネル
１２  空気吸込口
１３  空気吹出口
１４  左右風向板
１５  上下風向板
１６  室内送受信部
１７  焦電型赤外線センサ
１８  輻射センサ（サーモパイル）
１９  音センサ
２０  制御部
２５  室温センサ
２６  湿度センサ
２７  リモコン周囲温度センサ
２８  リモコン位置センサ
２９  カレンダー情報
３５  活動量判定部
３６ａ  温度シフト値設定部
３６ｂ  風量シフト値設定部
３７  目標室温設定部
３８  室温設定部
４５  空調能力制御部
４６、５５  圧縮機回転数設定部
４７  室内送風機回転数設定部
４８  室外送風機回転数設定部
５６  室外送風機
６２  電力シフト設定部
６３  時刻・タイマ設定部
１００  通常の冷房運転
１０１  省エネ冷房運転
１０２  省エネピークカット冷房運転
１０３  高負荷運転時の室内送風機８の回転数が低負荷運転時の室内送風機８の回転数より高めた省エネピークカット冷房運転
１０４  設定温度
１０５  補正後の設定温度
９００  室内
９０１  室外
【図１】
2013088087.tif 000003
【図２】
2013088087.tif 000004
【図３】
2013088087.tif 000005
【図４】
2013088087.tif 000006
【図５】
2013088087.tif 000007
【図６】
2013088087.tif 000008
【図７】
2013088087.tif 000009
【図８】
2013088087.tif 000010
【図９】
2013088087.tif 000011
【図１０】
2013088087.tif 000012
【図１１】
2013088087.tif 000013
【図１２】
2013088087.tif 000014
【図１３】
2013088087.tif 000015
【図１４】
2013088087.tif 000016
【図１５】
2013088087.tif 000017
【図１６】
2013088087.tif 000018